(57)【要約】【課題】  データ表示された状態で目隠しウィンドウを表示し、指定した位置に透過窓を開けることで背後の表示データを簡単に参照することができる表示システムおよび表示プログラムを提供する。【解決手段】  表示システム１０に、データ表示された状態で透過機能アイコン２２がタッチ操作された時、目隠しウィンドウが記憶部１３から読み出されて表示される。目隠しウィンドウの任意の位置がタッチされた場合、タッチ位置を中心に予め定められた大きさの透過窓が開く。【選択図】図１０
2015011429.tif 000002
【特許請求の範囲】
【請求項１】
画面に対するタッチ操作が行われたときに、各タッチ操作に応じた動作を行う表示システムにおいて、
画面に画像を表示する表示部と、
前記画面に対するタッチ操作が行われた位置を示す情報である位置情報を検出するタッチ検出部とを備え、
前記表示部に表示された画像を隠すための目隠しウィンドウを表示し、
前記目隠しウィンドウが表示された状態で画面にタッチすることで前記タッチ検出部がタッチ位置を検出し、前記タッチ位置に透過窓を開く制御部と、を含むことを特徴とする表示システム。
【請求項２】
前記制御部は、
前記表示部に前記透過窓が生成された状態で前記目隠しウィンドウが表示された画面にタッチした場合、当該タッチ位置が前記透過窓の領域か否かを判断し、領域外の場合にタッチ位置の移動を検出し、当該タッチ位置の移動する方向に前記透過窓を移動する制御を含むことを特徴とする請求項１に記載の表示システム。
【請求項３】
前記制御部は、
前記表示部に前記透過窓が生成された状態で前記目隠しウィンドウが表示された画面にタッチした場合、当該タッチ位置が前記透過窓の窓枠部か否かを判断し、窓枠部の場合にタッチ位置の移動量を検出し、当該タッチ位置の移動する量に応じて前記透過窓サイズを変更する制御を含むことを特徴とする請求項１に記載の表示システム。
【請求項４】
前記制御部は、
前記表示部に前記透過窓が生成された状態で前記目隠しウィンドウが表示された画面にタッチした場合、当該タッチ位置が前記透過窓の領域か否かを判断し、領域内の場合にタッチ位置の移動を検出し、当該タッチ位置の移動に応じて線を描画する制御を含むことを特徴とする請求項１乃至３に記載の表示システム。
【請求項５】
タッチ検出部および表示部を備えるコンピュータを、請求項１に記載の表示システムとして機能させることを特徴とする表示プログラム。
【発明の詳細な説明】
【技術分野】
【０００１】
本発明は、背後に隠されている表示データを簡単に参照することが可能な大型の表示装置に好適に実施可能とした表示システムおよび表示プログラムに関する。
【背景技術】
【０００２】
近年、画像を表示するための大型の表示装置を備え、画面に対してタッチ操作を行うことで、該タッチ操作に応じて点や線などの図形を画面に描画することを可能とした電子黒板などの表示システムが普及しつつある。
【０００３】
電子黒板などの表示システムでは、画面に任意の表示データを表示させ、画面の任意の個所に文字等を随時記入できるようにもなっている。
【０００４】
例えば、特許文献１には、ディスプレイ画面上で重なりあった上のウィンドウに穴をあけ、複数枚下のウィンドウの内容をオペレータが見ることを可能にする技術が記載されている。
【０００５】
また、特許文献２には、ウィンドウの前後関係、および、配置を損なうことなく、背後に隠されているウィンドウを簡単に参照・操作できるように構成されている技術が記載されている。
【先行技術文献】
【特許文献】
【０００６】
【特許文献１】特開昭６２−９９７８８号
【特許文献２】特開２００４−１７８０３８号
【発明の概要】
【発明が解決しようとする課題】
【０００７】
特許文献１に記載のような従来の表示システムでは、重なり合ったウィンドウのうち上のウィンドウの任意の位置の２点を操作者が指定することで上のウィンドウにあたかも穴があいたようになり、下のウィンドウの表示データの一部が見えるようにはなるが、操作者は位置指定のために２点を指定する必要がある。また、穴のあいた部分を移動することについては何等配慮されていないという課題がある。
【０００８】
また、特許文献２には、ユーザの操作により、透過窓を自由な大きさで生成し固定すること。透過窓の生成後に透過窓の位置を自由に変更すること。また、透過窓の大きさを自由に変更できることが可能ではあるが、ユーザが透過窓を移動させる場合、マウスで透過窓の境界にポインタを合わせてマウスの左クリックをすることで透過窓を移動させる必要があり、大型のタッチパネル付きの表示装置に特許文献２を採用した場合においては、ユーザがわざわざ透過窓の境界を指定しないと透過窓の移動操作が行えないという課題があった。
【０００９】
本発明は、このような課題を解決するためのものであり、ユーザの画面に対するタッチ操作に基づいて透過窓を生成し、かつ、透過窓の移動を容易に行うことができる表示システムおよび表示プログラムを提供することを目的とする。
【課題を解決するための手段】
【００１０】
本発明は、画面に対するタッチ操作が行われたときに、各タッチ操作に応じた動作を行う表示システムにおいて、
画面に画像を表示する表示部と、
前記画面に対するタッチ操作が行われた位置を示す情報である位置情報を検出するタッチ検出部とを備え、
前記表示部に表示された画像を隠すための目隠しウィンドウを表示し、
前記目隠しウィンドウが表示された状態で画面にタッチすることで前記タッチ検出部がタッチ位置を検出し、前記タッチ位置に透過窓を生成する制御部と、を含むことを特徴とする表示システムである。
【００１１】
また、本発明は、前記制御部は、
前記表示部に前記透過窓が生成された状態で前記目隠しウィンドウが表示された画面にタッチした場合、当該タッチ位置が前記透過窓の領域か否かを判断し、領域外の場合にタッチ位置の移動を検出し、当該タッチ位置の移動する方向に前記透過窓を移動する制御を含むことを特徴とする。
【００１２】
また、本発明は、前記制御部は、
前記表示部に前記透過窓が生成された状態で前記目隠しウィンドウが表示された画面にタッチした場合、当該タッチ位置が前記透過窓の窓枠部か否かを判断し、窓枠部の場合にタッチ位置の移動量を検出し、当該タッチ位置の移動する量に応じて前記透過窓サイズを変更する制御を含むことを特徴とする。
【００１３】
また、本発明は、前記制御部は、
前記表示部に前記透過窓が生成された状態で前記目隠しウィンドウが表示された画面にタッチした場合、当該タッチ位置が前記透過窓の領域か否かを判断し、領域内の場合にタッチ位置の移動を検出し、当該タッチ位置の移動に応じて線を描画する制御を含むことを特徴とする。
【００１４】
また、本発明は、タッチ検出部および表示部を備えるコンピュータを、表示システムとして機能させることを特徴とする表示プログラムである。
【発明の効果】
【００１５】
本発明によれば、表示システムにおいて画像が表示された状態で目隠しウィンドウを表示させ、目隠しウィンドウへのタッチ操作を行うことで、ユーザの指定する任意の位置に透過窓を容易に生成することができる。学校教育の現場において、画面の一部のみを生徒に見せることが可能となり、発想能力を高めるための効果的な学習が可能となる。
【００１６】
また、本発明によれば、ユーザによる画面へのタッチ位置が透過窓の領域か否かを判断し、領域外の場合にタッチ位置の移動を検出し、タッチ位置の移動する方向に透過窓を移動させる制御を可能としたことで、大型の表示装置の場合、ユーザが直接透過窓を操作することなく、画面の任意の場所のタッチ操作によって透過窓の移動が行えるようにしたことで、より効果的な学習が可能となる。
【００１７】
また、本発明によれば、ユーザによる画面へのタッチ位置が透過窓の窓枠部か否かを判断し、窓枠部の場合にタッチ位置の移動を検出し、タッチ位置の移動する移動量に応じて透過窓サイズを変更させる制御を可能としたことで、効果的な学習が可能となる。
【００１８】
また、本発明によれば、ユーザによる画面へのタッチ位置が透過窓の領域か否かを判断し、領域内の場合にタッチ位置の移動を検出し、タッチ位置の移動に応じて線を描画する制御が行えるようにしたことで、より効果的な学習が可能となる。
【００１９】
また、本発明によれば、タッチ検出部および表示部を備えるコンピュータを、前記表示システムとして機能させることができる。
【図面の簡単な説明】
【００２０】
【図１】表示システム１０の外観を示す模式図である。
【図２】表示システム１０の構成を示すブロック図である。
【図３】表示システムの処理を示すフローチャートである。
【図４】透過窓を開く処理を示すフローチャートである。
【図５】透過窓２７の移動処理を示すフローチャートである。
【図６】透過窓２７のサイズ変更処理を示すフローチャートである。
【図７】表示システムにおいて電子黒板プログラムが動作している状態を示す図である。
【図８】表示画面に目隠しウィンドウ２６が表示された状態を示す図である。
【図９】目隠しウィンドウ２６の任意の位置をタッチした状態を示す図である。
【図１０】目隠しウィンドウ２６に透過窓２７を開けた状態を示す図である。
【図１１】透過窓２７を移動させるための操作を示す図である。
【図１２】透過窓２７が移動した状態を示す図である。
【図１３】透過窓２７を拡大させるための操作を示す図である。
【図１４】透過窓２７が拡大した状態を示す図である。
【図１５】透過窓２７の内側に書き込みを行った状態を示す図である。
【発明を実施するための形態】
【００２１】
以下に、本発明に係る表示システム１０について説明する。図１は、表示システム１０の外観を示す模式図である。表示システム１０は、たとえば、縦１００ｃｍ、横１５０ｃｍ程度の略矩形状の表示部１１を有する電子黒板であり、表示部１１は、ユーザによる指やタッチペンによる操作を検出する後述のタッチ検出機能も有する。
【００２２】
ここで、タッチ操作とは、表示システム１０の画面への押圧が開始されてから押圧が終了されるまでの操作である。たとえば、ユーザが、指やタッチペンなどで画面を押圧して動作させたい機能を選択したり、文字や図形等を描画したりする一連の操作を意味する。
【００２３】
図２は、表示システム１０の構成を示すブロック図である。表示システム１０は、表示部１１と、タッチ検出部１２と、記憶部１３と、制御部１４とを備える。
【００２４】
表示部１１は、たとえば、液晶ディスプレイ、ＥＬ（Electro Luminescence）ディスプ
レイ、プラズマディスプレイなどであり、画面に画像を表示する。なお、表示部１１が、スクリーンを画面とし、該画面に画像を投影するプロジェクタであってもよい。
【００２５】
タッチ検出部１２は、投影型静電容量方式タッチパネル、抵抗膜方式タッチパネル、赤外線遮断検出方式タッチパネルなどから構成され、タッチ操作が行われると、画面に対するタッチ操作が行われた位置を示す情報、すなわちタッチ操作により押圧された箇所を示す情報を取得する。タッチ検出部１２が取得した位置情報は、制御部１４に入力される。尚、タッチ操作により押圧される箇所はタッチペンやユーザの指の大きさの連続する領域となるので、位置情報は該領域を示す情報として取得されるが、制御部１４は、入力された位置情報から、該領域の代表位置を示す情報、たとえば図心位置を示す情報を算出可能である。以下では、特に断らない限り、位置情報は押圧箇所の代表位置を示す情報であるとする。また、表示システム１０において、タッチ検出部１２は、離間した２つ以上の領域が押圧されるときに、それぞれの領域に対応する位置情報も取得可能である。尚、この場合、いわゆるマルチタッチ操作が可能な静電容量方式タッチパネルとなる。
【００２６】
記憶部１３は、ＤＤＲ  ＳＤＲＡＭ（Double Data Rate Synchronous Dynamic Random Access Memory）などの揮発性メモリ、および、フラッシュＲＯＭ（Read Only Memory）、ＥＥＰＲＯＭ（登録商標）、ＨＤＤ（Hard Disk Drive）などの不揮発性メモリから構成され、表示システム１０を制御するためのプログラムや表示されるデータが記憶されている。
【００２７】
制御部１４は、ＣＰＵ（Central Processing Unit）などの制御演算回路であり、表示部１１およびタッチ検出部１２を制御する。
【００２８】
図３乃至図６は、表示システム１０の動作を示すフローチャートであり、記憶部１３に記憶されたアプリケーションプログラム、および、画像データが、制御部１４によって制御される。図７乃至図１５は表示システム１０の表示画面の一例を示す図である。尚、これらはあくまでも一例であり、本発明の実施においては様々な変形実施が可能であることは言うまでもない。
【００２９】
図７乃至図１０は第１の実施の形態を示す図であり、図３にその具体的動作を示す。まず、図３のステップＳ１において、表示システム１０の図示しない電源投入ボタンを押下することで電源を投入し、電子黒板プログラムを起動し、さらに、記憶部１３に記憶されている画像データを読み出す。この時の表示部１１の表示状態を示す図が図７である。
【００３０】
図７において、「ＳＨＡＲＰ」という文字が表示部１１のホワイトボード領域２０（１点鎖線に囲まれた領域）に表示されており、電子黒板プログラムの動作に伴う複数の電子黒板アイコン２１が表示される。尚、ホワイトボード領域２０に表示されるデータは文字や数字のテキストデータ、写真等のイメージデータ等どのようなデータであっても構わない。この表示状態において、指２４、または、操作ペン２５によりタッチ操作が行われ、そのタッチ操作は、タッチ検出部１２によって検出される。尚、複数の電子黒板アイコン２１中の２２は透過機能アイコンであり、２３は電子黒板プログラムを終了させるための終了アイコンである。その他のアイコンは、ペンの色を変更したり、データの保存を指示したりするためのアイコンであり、本発明とは直接関係しないため説明を省略する。
【００３１】
ステップＳ２では、図７において、指２４、または、操作ペン２５で表示部１１にタッチされたかどうかを監視し、タッチ操作が検出された場合、ステップＳ３に進む。ステップＳ３では、タッチされた操作のタッチ検出位置に基づき、透過機能、ホワイトボード機能、または、その他の機能が選択されたかどうかを判別する。
【００３２】
ステップＳ３で透過機能が選択された場合ステップＳ４に進む。具体的には、図７の透過機能アイコン２２がタッチされた場合となる。ステップＳ４で表示部１１のホワイトボード領域２０に後述する目隠しウィンドウが表示されているか否かを判断し、目隠しウィンドウが既に表示されている場合はステップＳ１０に進んで目隠しウィンドウを消去し、ステップＳ２に戻る。目隠しウィンドウが表示されていないと判断した場合、ステップＳ５に進む。
【００３３】
ステップＳ５ではホワイトボード領域２０に目隠しウィンドウを表示する。具体的には、記憶部１３に記憶された目隠しウィンドウデータが読み出され、図８に示すように、既に表示されている表示データに目隠しウィンドウ２６がホワイトボード領域２０に重ねて表示され、この状態にあっては、表示されている「ＳＨＡＲＰ」の表示はもはや目視できない状態となる。尚、本実施例にあっては目隠しウィンドウ２６をグレー一色のウィンドウとしたが、他の色のウィンドウでも構わない。
【００３４】
ステップＳ６では、目隠しウィンドウ２６のいずれかの場所が指２４等でタッチされたかどうかの検出を行い、Ｎｏの場合、検出待ちの状態が継続する。Ｙｅｓの場合、ステップＳ７に進む。
【００３５】
ステップＳ７で、目隠しウィンドウ２６のタッチされた位置の座標値を取得する。図９は目隠しウィンドウ２６のほぼ中心の「＋」の位置をタッチした状態を示す図であり、このタッチ位置の座標が「ｘｃ，ｙｃ」であることを示している。尚、説明上「＋」を使用したが、実際の表示においては「＋」の表示は行われなく、後述の説明においても同様である。
【００３６】
ステップＳ８で、取得したタッチ座標「ｘｃ，ｙｃ」を中心にして目隠しウィンドウ２６に透過窓を開ける処理を行い、その後、ステップＳ２に戻る。
【００３７】
図４はステップＳ８の具体的な動作を示すサブルーチンであり、ステップＳ８１で楕円オブジェクトの長軸値２ａおよび短軸値２ｂを記憶部１３から読み出し、ステップＳ８２に進む。
【００３８】
ステップＳ８２で、取得済みの座標値「ｘｃ，ｙｃ」、及び、読み出した長軸値２ａ、及び、短軸値２ｂの値を用いて楕円オブジェクトを生成し、ステップＳ８３に進む。
【００３９】
ステップＳ８３で、生成した楕円オブジェクトをホワイトボード２０上に配置し、ステップＳ８４に進む。
【００４０】
ステップＳ８４で、楕円オブジェクト内部の各ドットの座標値と同一座標に存在する目隠しウィンドウオブジェクトの各ピクセルに対し、当該ピクセルの色属性を「透明」に変更し、ステップＳ８５に進む。
【００４１】
ステップＳ８５で、楕円領域内の目隠しウィンドウオブジェクトの全てのピクセルに対して、色属性を透明に変更処理が完了したかどうかを判断し、変更処理が完了していない場合はステップＳ８４に戻り、変更処理が完了し、透明である場合はサブルーチンを終了して、ステップＳ２に戻る。
【００４２】
図１０は目隠しウィンドウ２６に透過窓２７を開けた状態を示す図であり、透過窓２７は、取得されたタッチ座標を中心として予め定められた大きさで作成され、この状態において、目隠しウィンドウ２６の背面に表示されている画像の一部が視認可能となる。尚、透過窓２７は本実施例において楕円形の形状としたが、正方形や長方形等の矩形でもよいし、遊び心を持たせた利用を図る上で星型等の形状でもよい。尚、透過窓２７の形状選択は、電子黒板アイコン２１に任意の透過窓形状を選択するためのアイコンを設けることで利用範囲は広がる。
【００４３】
次に、ステップＳ３でタッチされた操作のタッチ検出位置が複数の電子黒板アイコン２１のアイコンであって２２の透過機能アイコン、または、２３の終了アイコン以外の電子黒板機能アイコンであった場合、ステップＳ９に進みその機能を実行し、処理が終了すればステップＳ２に戻る。
【００４４】
ステップＳ３でタッチされた操作のタッチ検出位置がホワイトボード領域２０上である場合は、ステップＳ１１に進む。ステップＳ１１では、目隠しウィンドウ２６が表示されているか否かを判断する。目隠しウィンドウ２６が表示されている場合は、ステップＳ１２に進み、表示されていない場合はステップＳ１６に進む。
【００４５】
ステップＳ１２では、タッチされた位置の座標値「ｘｔ，ｙｔ」を取得し、ステップＳ１３で、その座標値が透過窓の外側か、境界上か、あるいは、内側かが判断され、透過窓の外側であった場合、ステップＳ１４に進む。
【００４６】
ステップＳ１４は、タッチされた位置の座標値が透過窓の外側の時の処理であり、第２の実施の形態となる。具体的動作については図５を用いて説明し、図１１、および、図１２で実施の形態について説明を行う。
【００４７】
ステップＳ１４で、タッチされた位置の座標値が透過窓の外側であった場合、図５のステップＳ１７に進む。ステップＳ１７では、タッチが継続されているか否かが判断され、継続している場合、ステップＳ１８に進む。ステップＳ１７で、タッチが継続されなかった場合、ステップＳ２に戻る。
【００４８】
ステップＳ１８では、タッチ位置の座標の変化が検出され、変化後の座標値「ｘｔ２，ｙｔ２」が取得され、ステップＳ１９に進む。
【００４９】
ステップＳ１９では、座標値「ｘｔ２，ｙｔ２」が座標値「ｘｔ，ｙｔ」と比較され、同じであれば、ステップＳ１７に戻り、異なる場合、即ち、タッチ位置が移動した場合、ステップＳ２０に進む。この時の状態を示す図が図１１となる。指２４−１のタッチ位置が座標値「ｘｔ，ｙｔ」を示し、矢印方向の移動により指２４−２のタッチ位置が座標値「ｘｔ２，ｙｔ２」であることを示している。
【００５０】
ステップＳ２０では、座標値「ｘｔ，ｙｔ」と座標値「ｘｔ２，ｙｔ２」に基づきドラッグの移動量「ｍ，ｎ」が算出され、ステップＳ２１に進む。
【００５１】
ステップＳ２１では、透過窓２７の中心の座標値「ｘｃ，ｙｃ」とドラッグの移動量「ｍ，ｎ」に基づき透過窓２７の移動先となる透過窓の中心座標として「ｘｃ２，ｙｃ２」が算出され、ステップＳ２２に進む。
【００５２】
ステップＳ２２では、新たに算出された座標「ｘｃ２，ｙｃ２」を中心として透過窓が再描画され、ステップＳ１７に戻る。尚、この時の状態を示す図が図１２であり、透過窓２７が元の場所から移動したことを示している。
【００５３】
以上の処理が示すように、本実施例では、透過窓以外のホワイトボード領域の何れの場所でも透過窓が自由に移動できる操作が行える。この機能を、学校教育の現場で利用した場合、操作者である教師がどの場所にいても透過窓の移動操作を行うことが可能となり、利便性の高い表示システムとなる。
【００５４】
次に、ステップＳ１３で、座標値が透過窓の境界上であった場合、ステップＳ１５に進む。
【００５５】
ステップＳ１５は、タッチされた位置の座標値が透過窓の境界上であった場合の処理であり、第３の実施の形態となる。境界上とは透過窓の枠から外側乃至内側に予め定められる境界領域が定められており、その境界領域に対するタッチ操作があった場合のことを言う。具体的動作については図６を用いて説明し、図１３、および、図１４に基づき実施の形態について説明を行う。
【００５６】
図６のステップＳ２３で、タッチが継続されているか否かが判断され、継続している場合、ステップＳ２４に進む。ステップＳ２３で、タッチが継続されなかった場合、ステップＳ２に戻る。
【００５７】
ステップＳ２４では、タッチ位置の座標の変化が検出され、変化後の座標値「ｘｔ３，ｙｔ３」が取得され、ステップＳ２５に進む。
【００５８】
ステップＳ２５では、座標値「ｘｔ３，ｙｔ３」と座標値「ｘｔ，ｙｔ」とが比較され、同じであれば、ステップＳ２３に戻り、異なる場合、即ち、タッチ位置が移動した場合、ステップＳ２６に進む。この時の状態を示す図が図１３となる。指２４−３のタッチ位置が座標値「ｘｔ，ｙｔ」を示し、矢印方向の移動による指２４−４のタッチ位置が座標値「ｘｔ３，ｙｔ３」であることを示している。
【００５９】
ステップＳ２６で、座標値「ｘｔ３，ｙｔ３」が透過窓２７の内側か外側かが判断され、判断結果が外側である場合はステップＳ２７に進み、内側である場合はステップＳ２８に進む。本実施例では、座標値「ｘｔ３，ｙｔ３」は透過窓２７の外側である場合を示している。
【００６０】
ステップＳ２７で、透過窓２７のサイズを拡大処理を行い、ステップＳ２３に戻る。この時の状態を示す図が図１４であり、透過窓２７が拡大したことを示している。尚、実施の形態の例示は省略するが、ステップＳ２８では透過窓２７を縮小する処理を行う。
【００６１】
以上の処理が示すように、透過窓の拡大と縮小が自由にできる操作が行える。この機能を、学校教育の現場で利用した場合、操作者である教師が透過窓のサイズを自由に操作することが可能となり、利便性の高い表示システムとなる。
【００６２】
次に、ステップＳ１３で、座標値が透過窓の内側であった場合、ステップＳ１６に進む。尚、ステップＳ１１において目隠しウィンドウが表示されていない場合もステップＳ１６に進む。
【００６３】
ステップＳ１６は、タッチされた位置の座標値が透過窓の内側であった場合の処理であり、第４の実施の形態となる。具体的例については図１５の通り、操作ペン２５により透過窓２７の内側に任意の書き込みが可能となる。尚、指による書き込みも可能となっている。
【００６４】
以上のように構成される表示システム１０の記憶部１３に記憶される表示プログラムは、タッチパネル部および表示部を備えるコンピュータを表示システム１０として機能させるプログラムである。この表示プログラムは、従来公知の、コンピュータ読み取り可能な記録媒体に記録できる。上記表示プログラムを記録媒体に記録することで、表示プログラムに基づく処理を実行するためのプログラムコード（実行形式プログラム、中間コードプログラム、ソースプログラムなど）を記録した記録媒体を持ち運び自在に提供することができる。
【００６５】
なお、記録媒体は、マイクロコンピュータが処理を行うためのメモリ、たとえばＲＯＭ（Read Only Memory）のようなプログラムメディアであってもよいし、または、コンピュータが外部記憶装置として備えるプログラム読取装置に挿入することで読み取られるプログラムメディアであってもよい。
【００６６】
記録媒体に格納されているプログラムは、マイクロプロセッサが記録媒体にアクセスして実行する方式であってもよいし、または、マイクロプロセッサが記録媒体からプログラムコードを読み出し、読み出されたプログラムコードがマイクロコンピュータのプログラム記憶エリアにダウンロードされることで、そのプログラムが実行される方式であってもよい。このダウンロード用のプログラムは予め本体装置に格納されているものとする。
【００６７】
ここで、上記プログラムメディアは、本体と分離可能に構成される記録媒体であり、磁気テープ、カセットテープなどのテープ系、フレキシブルディスク、ハードディスクなどの磁気ディスク、ＣＤ−ＲＯＭ（Compact Disc - Read Only Memory）、ＭＯ（Magneto Optical disc）、ＭＤ（Mini Disc）、ＤＶＤ（Digital Versatile Disc）などの光ディスクのディスク系、ＩＣカード（メモリカードを含む）、光カードなどのカード系、あるいはマスクＲＯＭ、ＥＰＲＯＭ（Erasable Programmable Read Only Memory）、ＥＥＰＲＯＭ（登録商標）、フラッシュＲＯＭなどによる半導体メモリを含めた固定的にプログラムコードを担持する媒体であってもよい。
【００６８】
また、コンピュータが、インターネットを含む通信ネットワークを接続可能なシステム構成であれば、記録媒体は、通信ネットワークからプログラムコードをダウンロードするように、流動的にプログラムコードを担持する媒体であってもよい。なお、このように通信ネットワークからプログラムをダウンロードする場合には、そのダウンロード用のプログラムは予め本体装置に格納しておくか、または他の記録媒体からインストールしておく。また、上記表示プログラムは、上記プログラムコードが電子的な伝送で具現化された、搬送波に埋め込まれたコンピュータデータ信号の形態でも実現され得る。
【符号の説明】
【００６９】
１０  表示システム
１１  表示部
１２  タッチ検出部
１３  記憶部
１４  制御部
２０  ホワイトボード領域
２１  電子黒板アイコン
２２  透過機能アイコン
２４  指
２５  操作ペン
【図１】
2015011429.tif 000003
【図２】
2015011429.tif 000004
【図３】
2015011429.tif 000005
【図４】
2015011429.tif 000006
【図５】
2015011429.tif 000007
【図６】
2015011429.tif 000008
【図７】
2015011429.tif 000009
【図８】
2015011429.tif 000010
【図９】
2015011429.tif 000011
【図１０】
2015011429.tif 000012
【図１１】
2015011429.tif 000013
【図１２】
2015011429.tif 000014
【図１３】
2015011429.tif 000015
【図１４】
2015011429.tif 000016
【図１５】
2015011429.tif 000017